(57)【要約】      （修正有）【課題】鮮明なホログラム映像を容易に生成することができるウィンドウフィルムを提供すること。【解決手段】本発明に係るウィンドウフィルム１は、透明材質からなるフィルム１０と、フィルム１０の一面に対して印刷処理を施すことによって形成されたパターン部２０とを具備しており、パターン部２０は、複数の正八角形の開口部分２１を有しており、開口部分２１の一辺の長さは、０.６ｍｍ〜１.１ｍｍの範囲内にあり、隣接する開口部分２１において対向する辺同士の距離は、０.１５ｍｍ〜０.３５ｍｍの範囲内にある。【選択図】図１
2019059072.tif 000002
【特許請求の範囲】
【請求項１】
透明材質からなるフィルムと、
前記フィルムの一面に対して印刷処理を施すことによって形成されたパターン部を具備しており、
前記パターン部は、複数の正八角形の開口部分を有しており、
前記開口部分の一辺の長さは、０.６ｍｍ〜１.１ｍｍの範囲内にあり、
隣接する前記開口部分において対向する辺同士の距離は、０.１５ｍｍ〜０.３５ｍｍの範囲内にあることを特徴とするウィンドウフィルム。
【請求項２】
前記印刷処理において、カラーコードとして＃ＦＦＦＦＦＦ、＃ＦＡＦＡＦＡ、＃Ｆ２Ｆ２Ｆ２のいずれかが指定されることを特徴とする請求項１に記載のウィンドウフィルム。
【請求項３】
前記印刷処理において、カラーコードとして＃Ｃ０Ｃ０Ｃ０、＃Ａ９Ａ９Ａ９、＃Ｄ３Ｄ３Ｄ３のいずれかが指定されることを特徴とする請求項１に記載のウィンドウフィルム。
【発明の詳細な説明】
【技術分野】
【０００１】
本発明は、ウィンドウフィルムに関する。
【背景技術】
【０００２】
従来、窓ガラスや透明看板や店頭のショーウィンドウガラス等の対象物に粘着され、映像機器から投射される映像光の透過及び反射によってホログラム映像を生成するためのウィンドウフィルムが知られている（例えば、特許文献１参照）。
【０００３】
かかるウィンドウフィルムは、透明材質からなるフィルムと、かかるフィルムの一面に対して印刷処理を施すことによって形成されたパターン部とを具備している。
【０００４】
ここで、かかるウィンドウフィルムのパターン部における複数の開口部分の各々は、正六角形や正方形や菱形や三角形の形状を有している。
【先行技術文献】
【特許文献】
【０００５】
【特許文献１】韓国特許出願１０-１５８２１６４号公報
【発明の概要】
【発明が解決しようとする課題】
【０００６】
しかしながら、上述の特許文献１に開示されているウィンドウフィルムでは、パターン部における映像光の透過及び反射のバランスが取りにくいため、鮮明なホログラム映像を生成することが困難であるという問題点があった。
【０００７】
そこで、本発明は、上述の課題に鑑みてなされたものであり、鮮明なホログラム映像を容易に生成することができるウィンドウフィルムを提供することを目的とする。
【課題を解決するための手段】
【０００８】
本発明の第１の特徴は、ウィンドウフィルムであって、透明材質からなるフィルムと、前記フィルムの一面に対して印刷処理を施すことによって形成されたパターン部とを具備しており、前記パターン部は、複数の正八角形の開口部分を有しており、前記開口部分の一辺の長さは、０.６ｍｍ〜１.１ｍｍの範囲内にあり、隣接する前記開口部分において対向する辺同士の距離は、０.１５ｍｍ〜０.３５ｍｍの範囲内にあることを要旨とする。
【発明の効果】
【０００９】
本発明によれば、鮮明なホログラム映像を容易に生成することができるウィンドウフィルムを提供することができる。
【図面の簡単な説明】
【００１０】
【図１】本発明の一実施形態に係るウィンドウフィルムの斜視図の一例である。
【図２】本発明の一実施形態に係るウィンドウフィルムの正面図の一例である。
【図３】図２における部分Ａの拡大図の一例である。
【図４】図１におけるＸ-Ｘ断面図の一例の一部である。
【図５】本発明の一実施形態に係るウィンドウフィルムの使用形態の一例を説明するための図である。
【図６】本発明の一実施形態に係るウィンドウフィルムの使用形態の一例を説明するための図である。
【発明を実施するための形態】
【００１１】
以下、図１〜図６を参照して、本発明の一実施形態に係るウィンドウフィルム１について説明する。図１に、本実施形態に係るウィンドウフィルム１の斜視図の一例を示し、図２に、本実施形態に係るウィンドウフィルム１の正面図の一例を示し、図３に、図２における部分Ａの拡大図の一例を示し、図４に、図１におけるＸ-Ｘ断面図の一例の一部を示し、図５及び図６に、本実施形態に係るウィンドウフィルム１の使用形態の一例を説明するための図を示す。
【００１２】
図１に示すように、本実施形態に係るウィンドウフィルム１は、窓ガラスや透明看板や店頭のショーウィンドウガラス等の対象物４０に粘着され、映像機器６０（図５及び図６参照）から投射される映像光の透過及び反射によってホログラム映像を生成するように構成されている。ここで、対象物４０としては、ウィンドウフィルム１が粘着されていない状態において、映像光を透過させることができる平面状の物質であれば、任意の物質を用いることができる。
【００１３】
図４に示すように、本実施形態に係るウィンドウフィルム１は、フィルム１０と、パターン部２０とを具備している。
【００１４】
フィルム１０は、透明材質によって構成されており、例えば、ＰＥＴやＰＣやＰＥやＰＰやアクリルのいずれかによって構成されていてもよい。
【００１５】
パターン部２０は、フィルム１０の一面に対して印刷処理を施すことによって形成されるものであり、図１及び図２に示すように、メッシュ構造を有しており、複数の正八角形の開口部分２１を有している。
【００１６】
本特許出願において記載されている「正八角形」という用語は、厳密な意味での正八角形のみを意味するものではなく、本発明の効果を奏することができる範囲であれば、正八角形に近い形状（例えば、各角において面取りがなされている形状等）も含む概念であるものとする。
【００１７】
また、上述の印刷処理としては、グラビア印刷処理等の任意の印刷処理を用いることができる。
【００１８】
具体的には、パターン部２０は、上述の印刷処理によってフィルム１０に塗布される顔料によって構成されている。例えば、かかる顔料は、アルミニウム粉末や、銅粉末や、アルミニウム粉末及び銅粉末の混合粉末等を含むように構成されている。
【００１９】
図３に示すように、パターン部２０の開口部分２１（を構成する正八角形）の一辺の長さＡは、０.６ｍｍ〜１.１ｍｍの範囲内にあり、パターン部２０の開口部分２１（を構成する正八角形）の対向する２辺の間の距離Ｂは、１.６ｍｍ〜２.４ｍｍの範囲内にあり、隣接する２つの開口部分２１（を構成する正八角形）において対向する辺同士の距離Ｃは、０.１５ｍｍ〜０.３５ｍｍの範囲内にある。
【００２０】
かかる構成によれば、映像機器６０（図５及び図６参照）から投射される映像光の透過及び反射のバランスを最適にすることができ、鮮明なホログラム画像を生成することができる。
【００２１】
図４に示すように、本実施形態に係るウィンドウフィルム１は、粘着剤３０を介して対象物４０に粘着されるように構成されている。ここで、粘着剤３０として、透明な粘着剤が用いられることが好ましい。また、図４に示すように、パターン部２０の厚さＴは、０.１ｍｍ〜０.１６２ｍｍの範囲内にあることが好ましい。
【００２２】
本実施形態に係るウィンドウフィルム１は、図５に示すように、フィルム１側（フロント側）１ａから映像光が投射されることを想定している場合、パターン部２０を構成する顔料の色は、白であることが好ましい。具体的には、かかるウィンドウフィルム１におけるパターン部２０を生成するための印刷処理において、カラーコードとして＃ＦＦＦＦＦＦ、＃ＦＡＦＡＦＡ、＃Ｆ２Ｆ２Ｆ２のいずれかを指定するように構成されていてもよい。
【００２３】
かかる構成によれば、本実施形態に係るウィンドウフィルム１に対して、図５に示すように、フィルム１０側（フロント側）１ａから映像光を投射する場合に、映像光の透過及び反射のバランスを最適にすることができ、視聴者に対して鮮明なホログラム画像を提供することができる。
【００２４】
また、本実施形態に係るウィンドウフィルム１は、図６に示すように、対象物４０側（リア側）１ｂから映像光が投射されることを想定している場合、パターン部２０を構成する顔料の色は、シルバー（ホワイトシルバー）であることが好ましい。具体的には、かかるウィンドウフィルム１におけるパターン部２０を生成するための印刷処理において、カラーコードとして＃Ｃ０Ｃ０Ｃ０、＃Ａ９Ａ９Ａ９、＃Ｄ３Ｄ３Ｄ３のいずれかを指定するように構成されていてもよい。
【００２５】
かかる構成によれば、本実施形態に係るウィンドウフィルム１に対して、図６に示すように、対象物４０（リア側）１ｂから映像光を投射する場合に、映像光の透過及び反射のバランスを最適にすることができ、視聴者に対して鮮明なホログラム画像を提供することができる。
【符号の説明】
【００２６】
１…ウィンドウフィルム
１０…フィルム
２０…パターン部
３０…粘着層
４０…対象物
６０…映像機器
【図１】
2019059072.tif 000003
【図２】
2019059072.tif 000004
【図３】
2019059072.tif 000005
【図４】
2019059072.tif 000006
【図５】
2019059072.tif 000007
【図６】
2019059072.tif 000008